(57)【要約】【課題】  スライド式の車両用サンバイザにおいて、スライド構造部に関する合理的な構築技術を提供する。【解決手段】  本発明の車両用サンバイザは、サンバイザ本体１０３と、支軸１０５と、支軸１０５の長軸方向に延在する長尺状のガイド部材１１３と、支軸１０５に対しては長軸回りに回動可能に連結され、ガイド部材１１３に対しては相対的に摺動可能とされた可動体１１５と、を有する。サンバイザ本体１０３は、ガイド部材１１３および可動体１１５と共に支軸１０５の長軸回りに回動することで所定の格納位置と当該格納位置以外の使用領域間での位置変更が可能とされ、ガイド部材１１３と共に可動体１１５に対して摺動することで支軸１０５に対する長軸方向位置が変更可能とされている。ガイド部材１１３は、サンバイザ本体１０３の位置変更に用いられる機能部品１２５，１１９を収納する収納部１１３ａを有する。【選択図】  図２
2008284973.tif 000002
【特許請求の範囲】
【請求項１】
内部空間を有するサンバイザ本体と、
前記サンバイザ本体を車体に取り付ける支軸と、
前記サンバイザ本体の内部空間に固定状に設けられ、前記支軸の長軸方向に延在する長尺状のガイド部材と、
前記サンバイザ本体の内部空間に配置され、前記支軸に対しては当該支軸の長軸方向への移動が規制された状態で長軸回りに回動可能に連結されるとともに、前記ガイド部材に対しては当該ガイド部材の延在方向に相対的に摺動可能とされた可動体と、を有し、
前記サンバイザ本体は、前記ガイド部材および前記可動体と共に前記支軸の長軸回りに回動することで所定の格納位置と当該格納位置以外の使用領域間での位置変更が可能とされ、前記ガイド部材と共に前記可動体に対して摺動することで前記支軸に対する長軸方向位置が変更可能とされた車両用サンバイザであって、
前記ガイド部材は、前記サンバイザ本体の位置変更に用いられる機能部品を収納する収納部を有することを特徴とする車両用サンバイザ。
【請求項２】
請求項１に記載の車両用サンバイザであって、
前記収納部は、前記ガイド部材の延在方向と交差する方向の断面形状を凹状に形成することによって構成されていることを特徴とする車両用サンバイザ。
【請求項３】
請求項１または２に記載の車両用サンバイザであって、
前記可動体は、前記ガイド部材が摺動自在に貫通する角孔を有し、
前記ガイド部材は、断面外形形状が前記角孔に対応する角形に形成されており、
前記サンバイザ本体および前記ガイド部材と共に前記可動体が前記支軸の長軸回りに回動される際、前記ガイド部材と前記可動体間の周方向の力の伝達が面または線によって行われる構成としたことを特徴とする車両用サンバイザ。
【請求項４】
請求項１〜３のいずれか１つに記載の車両用サンバイザであって、
前記サンバイザ本体が前記可動体に対し少なくとも所定の摺動位置に置かれた状態では、前記サンバイザ本体の内壁面と前記可動体の外側面との間の隙間を無くする手段を有することを特徴とする車両用サンバイザ。
【請求項５】
請求項４に記載の車両用サンバイザであって、
前記隙間を無くする手段は、前記サンバイザ本体の内壁面または前記可動体の外側面のいずれか一方に、当該内壁面または外側面の法線方向に突出された肉盛によって構成されており、当該肉盛は、所定の摺動位置において、前記サンバイザ本体の内壁面と前記可動体の外側面のいずれか他方に重なる構成としたことを特徴とする車両用サンバイザ。
【請求項６】
請求項１〜５のいずれか１つに記載の車両用サンバイザであって、
前記サンバイザ本体が前記使用領域から格納位置へと回動される際、当該回動動作に対し所定の摩擦抵抗を与えるクリップを有し、
前記クリップは、前記支軸側から前記ガイド部材側へと前記支軸の長軸方向と交差する方向に延在されるとともに、当該延在端部が前記収納部に収納されている構成としたことを特徴とする車両用サンバイザ。
【請求項７】
請求項１〜５のいずれか１つに記載の車両用サンバイザであって、
前記機能部品は、サンバイザ本体の摺動動作に対して所定の摩擦抵抗を付与する摩擦機構であり、
前記摩擦機構は、前記ガイド部材の収納部底面に摺動自在に係合することで当該ガイド部材に摩擦抵抗を付与する摩擦部材と、当該摩擦部材を収納部底面に押し付けるように付勢する付勢部材によって構成されていることを特徴とする車両用サンバイザ。
【請求項８】
サンバイザ本体と、
前記サンバイザ本体を車体に取り付ける支軸と、
前記サンバイザ本体に固定状に設けられ、前記支軸の長軸方向に延在する長尺状のガイド部材と、
前記支軸に対し当該支軸の長軸方向への移動が規制された状態で長軸回りに回動可能に連結されるとともに、前記ガイド部材に対しては当該ガイド部材の延在方向に相対的に摺動可能とされた可動体と、を有し、
前記サンバイザ本体は、前記ガイド部材および前記可動体と共に前記支軸の長軸回りに回動することで所定の格納位置と当該格納位置以外の使用領域間での位置変更が可能とされ、前記ガイド部材と共に前記可動体に対して摺動することで前記支軸の長軸方向位置が可変とされた車両用サンバイザであって、
前記サンバイザ本体が前記可動体に対し少なくとも所定の摺動位置に置かれた状態では、前記サンバイザ本体の内壁面と前記可動体の外側面との間の隙間を無くする手段を有することを特徴とする車両用サンバイザ。
【発明の詳細な説明】
【技術分野】
【０００１】
この発明は、サンバイザ本体が、支軸の長軸方向に移動することが可能とされたスライド式の車両用サンバイザに関する。
【背景技術】
【０００２】
車体側に固定される支軸の長軸方向にサンバイザ本体が摺動可能とされたスライド式車両用サンバイザは、例えば特開２００１−１７１３４７号公報に記載されている。上記公報に記載の車両用サンバイザでは、サンバイザ本体の上縁部に沿って固定的に配置された長尺状のスライドガイドと、車体側（車室の前側天井面）に取り付けられる支軸に対し長軸方向には固定されかつ長軸回りに回動可能とされたケースとを備えている。そして、スライドガイドがケースに対し支軸の長軸方向に摺動可能に組み付けられている。したがって、サンバイザ本体は、スライドガイドと共にケースに対して摺動することにより、支軸の長軸方向に関する位置を変えることができる。このようなサンバイザ本体の摺動動作による位置変更は、主としてサンバイザ本体がサイドガラス側に置かれた状態で行われる。
【０００３】
上述したスライドガイド構造の車両用サンバイザにおいては、摺動動作の安定化、あるいは円滑性を得るべく、ケースとスライドガイドとの間に摩擦による適度の摺動抵抗を与える摩擦機構を備えることが好ましい。しかしながら、ケースとスライドガイドとの間に摩擦機構を備えることは、スライド構造部の大型化を招く可能性があり、この点においてなお改良の余地がある。
【特許文献１】特開２００１−１７１３４７号公報
【発明の開示】
【発明が解決しようとする課題】
【０００４】
本発明は、上記に鑑み、スライド式の車両用サンバイザにおいて、スライド構造部に関する合理的な構築技術を提供することをその目的とする。
【課題を解決するための手段】
【０００５】
上記課題を達成するため、本発明に係る車両用サンバイザの好ましい形態は、サンバイザ本体と、サンバイザ本体を車体に取り付ける支軸と、サンバイザ本体の内部空間に固定状に設けられ、支軸の長軸方向に延在する長尺状のガイド部材と、サンバイザ本体の内部空間に配置され、支軸に対しては当該支軸の長軸方向への移動が規制された状態で長軸回りに回動可能に連結されるとともに、ガイド部材に対しては当該ガイド部材の延在方向に相対的に摺動可能とされた可動体とを有する。そしてサンバイザ本体は、ガイド部材および可動体と共に支軸の長軸回りに回動することで所定の格納位置と当該格納位置以外の使用領域間での位置変更が可能とされ、ガイド部材と共に可動体に対して摺動することで支軸に対する長軸方向位置が変更可能とされている。これにより、スライド式の車両用サンバイザが構成される。
【０００６】
本発明の好ましい形態では、ガイド部材は、サンバイザ本体の位置変更に用いられる機能部品を収納する収納部を有する。なお、本発明における「機能部品」とは、典型的には、サンバイザ本体をガイド部材と共に可動体に対して支軸の長軸方向に摺動させて位置を変更する際、あるいはサンバイザ本体を可動体と共に支軸の長軸回りに回動させて格納位置と使用領域間で位置を変更する際、当該摺動動作あるいは回動動作に対し所定の制御された摩擦抵抗を付与する摩擦機構がこれに該当する。本発明によれば、ガイド部材に機能部品を収納する収納部を設ける構成とした、換言すれば機能部品をガイド部材の収納部に収納する構成としている。このため、車両用サンバイザのスライド構造部に関し、機能部品の配置スペースがガイド部材の配置スペースに包含されることで小型化が可能となる。なお、本発明における「収納」は、機能部品の一部を収納する態様、あるいは全体を収納する態様のいずれも好適に包含する。
【０００７】
本発明に係る車両用サンバイザの更なる形態によれば、収納部は、ガイド部材の延在方向と交差する方向の断面形状を凹状に形成することによって構成される。なお、本発明における「凹状」は、Ｕ形、Ｖ形、コ形等の、左右あるいは上下に対称をなす凹んだ形状を広く包含する。本発明によれば、機能部品が、例えば可動体に対するガイド部材の摺動動作に摩擦抵抗を付与する摩擦機構であれば、収納部の凹状底面を当該摩擦機構の摩擦面（摺動面）として使用することができる。
【０００８】
本発明に係る車両用サンバイザの更なる形態によれば、可動体は、ガイド部材が摺動自在に貫通する角孔を有する。また、ガイド部材は、断面外形形状が角孔に対応する角形に形成されている。そして、サンバイザ本体およびガイド部材と共に可動体が支軸の長軸回りに回動される際、ガイド部材と可動体間の周方向の力の伝達が面または線によって行われる構成とした。なお、本発明における「面または線によって」とは、典型的には、平面同士が当接する態様、あるいは面と線が当接する態様がこれに該当する。平面同士が当接する態様としては、可動体の角孔壁面とガイド部材の外壁面が当接する態様、あるいは可動体の角孔内壁面あるいはガイド部材の外壁面のいずれか一方に突起を設け、当該突起の先端が可動体の角孔内壁面あるいはガイド部材の外壁面のいずれか他方に面当たりで当接する態様等を好適に包含し、面と線が当接する態様としては、可動体の角孔壁面がガイド部材のエッジ（角部）に当接する態様、あるいは可動体の角孔内壁面あるいはガイド部材の外壁面のいずれか一方に断面円弧状の突起を設け、当該突起の先端が可動体の角孔内壁面あるいはガイド部材の外壁面のいずれか他方に線当たりで当接する態様等を包含する。本発明によれば、サンバイザ本体と共にガイド部材が支軸の長軸回りに回動される際の、力の伝達が面または線によって行われる構成としたことにより、合理的な力の伝達が実現される。
【０００９】
本発明に係る車両用サンバイザの更なる形態によれば、サンバイザ本体が可動体に対し少なくとも所定の摺動位置に置かれた状態では、サンバイザ本体の内壁面と可動体の外側面との間の隙間を無くする手段を有する。なお、本発明における「所定の摺動位置」とは、典型的には、サンバイザ本体の摺動領域中の一方の移動端位置、すなわちサンバイザ本体の格納位置と使用領域間での回動動作が行われる位置がこれに該当するが、他方の移動端位置を好適に包含する。本発明によれば、サンバイザ本体が所定の摺動位置に置かれたときに、サンバイザ本体の内壁面と可動体の外側面との間の隙間を無くする手段、つまり隙間を詰める（埋める）手段を備える構成とすることで、当該所定の摺動位置において、サンバイザ本体の内壁面と可動体の外側面間のガタツキを防止することができる。その結果、サンバイザ本体を格納位置と使用領域間で回動させた際の、あるいは車体の振動によるサンバイザ本体の内壁面と可動体の外側面間のガタツキ音（干渉音）の発生を防止できる。
【００１０】
本発明に係る車両用サンバイザの更なる形態によれば、上述の隙間を無くする手段は、サンバイザ本体の内壁面または可動体の外側面のいずれか一方に、当該内壁面または外側面の法線方向に突出された肉盛によって構成され、当該肉盛は、所定の摺動位置でサンバイザ本体の内壁面と可動体の外側面のいずれか他方に重なる構成とした。なお、本発明における「肉盛」とは、内壁面から所定高さで突き出るように設けられる突状物をいい、内壁面または外側面に対して隆起状に一体成形する態様、あるいは別に形成したものを適宜止着手段で固定する態様のいずれも好適に包含する。本発明によれば、サンバイザ本体が所定の摺動位置に置かれたとき、サンバイザ本体の内壁面と可動体の外側面との間に肉盛が介在状に置かれることで当該サンバイザ本体の内壁面と可動体の外側面との間の隙間が無くなり、サンバイザ本体と可動体間のガタツキが防止される。また、ガイド部材はサンバイザ本体に固定状に設けられている。このため、サンバイザ本体と可動体間のガタツキが肉盛によって解消されることに伴い可動体とガイド部材間のガタツキも防止される。
【００１１】
本発明に係る車両用サンバイザの更なる形態によれば、サンバイザ本体が使用領域から格納位置へと回動される際、当該回動動作に対し所定の抵抗を与えるクリップを有する。クリップは、支軸側からガイド部材側へと当該支軸の長軸方向と交差する方向に延在されるとともに、当該延在端部が収納部に収納される構成とした。本発明によれば、支軸とガイド部材の並び方向、すなわち、支軸の長軸方向と交差する高さ方向において、ガイド部材とクリップとを同じ高さ位置に配置することが可能となり、これにより、スライド構造部の高さ方向に関する嵩張りを低減して小型化できる。
【００１２】
本発明に係る車両用サンバイザの更なる形態によれば、機能部品は、サンバイザ本体の摺動動作に対して所定の摩擦抵抗を付与する摩擦機構であり、そして当該摩擦機構は、ガイド部材の収納部底面に摺動自在に係合することで当該ガイド部材に摩擦抵抗を付与する摩擦部材と、当該摩擦部材を収納部底面に押し付けるように付勢する付勢部材とを有する構成とした。なお本発明における「収納部底面」とは、収納部の開口側と反対側の面をいう。本発明によれば、サンバイザ本体を支軸に対して摺動する際の摺動動作の安定化を図り、また振動による無用な摺動を抑えることができるとともに、簡単な構造で摩擦機構を構成できる。
【００１３】
また、本発明に係る車両用サンバイザの他の形態によれば、サンバイザ本体と、サンバイザ本体を車体に取り付ける支軸と、サンバイザ本体に固定状に設けられ、支軸の長軸方向に延在する長尺状のガイド部材と、支軸に対し当該支軸の長軸方向への移動が規制された状態で長軸回りに回動可能に連結されるとともに、ガイド部材に対しては当該ガイド部材の延在方向に相対的に摺動可能とされた可動体とを有する。そしてサンバイザ本体は、ガイド部材および可動体と共に支軸の長軸回りに回動することで所定の格納位置と当該格納位置以外の使用領域間での位置変更が可能とされ、ガイド部材と共に可動体に対して摺動することで支軸の長軸方向位置が可変とされている。これにより、スライド式の車両用サンバイザが構成される。
【００１４】
本発明の他の形態によれば、サンバイザ本体が可動体に対し少なくとも所定の摺動位置に置かれた状態では、サンバイザ本体の内壁面と可動体の外側面との間の隙間を無くする手段を有する構成とした。なお、本発明における「所定の摺動位置」とは、典型的には、サンバイザ本体の摺動領域中の一方の摺動端位置、すなわちサンバイザ本体の格納位置と使用領域間での回動動作が行われる位置がこれに該当するが、他方の摺動端位置を好適に包含する。
本発明によれば、サンバイザ本体が所定の摺動位置に置かれたときに、サンバイザ本体の内壁面と可動体の外側面との間の隙間を無くする手段、つまり隙間を詰める（埋める）手段を備える構成とすることで、当該所定の摺動位置において、サンバイザ本体の内壁面と可動体の外側面間の隙間によるガタツキを防止することができる。その結果、サンバイザ本体を格納位置と使用領域間で回動させた際の、あるいは車体の振動によるサンバイザ本体の内壁面と可動体の側面とのガタツキ音（干渉音）の発生を防止できる。
【発明の効果】
【００１５】
本発明によれば、スライド式の車両用サンバイザにおいて、スライド構造部に関する合理的な構築技術が提供されることとなった。
【発明を実施するための最良の形態】
【００１６】
以下、本発明の実施形態に係る車両用サンバイザについて、図１〜図１１を参照しつつ詳しく説明する。図１には本実施の形態に係る車両用サンバイザの全体構成が示される。本実施の形態に係る車両用サンバイザ１０１は、図１に示すように、概括的に見て、サンバイザ１０１の外形を構成するサンバイザ本体１０３、サンバイザ本体１０３を車両に装着するための円形断面の支軸１０５、および取付ブラケット１０７を主体として構成されている。支軸１０５は、概ね鉛直方向に延びる縦軸部１０５ａと、概ね水平方向に延びる横軸部１０５ｂを備えた略Ｌ字状に形成されるとともに、横軸部１０５ｂがサンバイザ本体１０３における上縁部に相対回動自在に取り付けられる。支軸１０５の縦軸部１０５ａは、取付ブラケット１０７を介して車室天井面の前側隅部に回動自在に装着される。
【００１７】
サンバイザ本体１０３は、支軸１０５の横軸部１０５ｂに、当該横軸部１０５ｂの長軸回りに回動可能にかつ長軸方向にスライド可能に装着されるが、その回動およびスライド構造については後述する。なお、説明の便宜上、図１において、横軸部１０５ｂの長軸方向、すなわちスライド方向を左右方向、縦軸部１０５ａの長軸方向を上下方向、横軸部１０５ｂの長軸方向と交差する水平方向を前後方向という。
サンバイザ本体１０３は、便宜上図示を省略するが、支軸１０５の横軸部１０５ｂの長軸回りに回動操作することで、車室の天井面に沿うように置かれる格納位置と、フロントガラス側へと回動される使用領域（遮光領域）との間での位置変更が可能とされ、縦軸部１０５ａの長軸回りに回動操作することで、フロントガラス側のフロント位置とサイドガラス側のサイド位置との間での位置変更が可能とされる。また、サンバイザ本体１０３は、サイド位置側に置かれた状態で、横軸部１０５ｂの長軸方向にスライドすることで、サイドガラスに対する相対位置（遮光位置）が可変とされる。
【００１８】
また、サンバイザ本体１０３は、上縁部の自由端側には、サポート軸１０９を有する。このサポート軸１０９は、車室の前側天井面に装着される、便宜上図示を省略するフックによって保持される。これによって、サンバイザ本体１０３がフロント側位置に置かれた状態で、格納位置から使用領域へあるいは使用領域から格納位置へと位置変更されるときの、サンバイザ本体１０３の回動動作の安定化が図られている。また、サンバイザ本体１０３の外表面の平面領域には、化粧ミラー１１０が配置されている。
【００１９】
サンバイザ本体１０３は、図６〜図１０の断面図に示すように、２つの半分割された本体構成部材１０３Ａ，１０３Ｂを前後方向において互いに対向状に接合することで中空状のシェル構造をなすように構成されるとともに、その外表面が表皮によって覆われる。中空状は、本発明の「内部空間」に対応する。図２〜図４には一方（サンバイザ本体１０３が使用領域に置かれたときの後面側）の本体構成部材１０３Ａが省略された状態、つまり他方（前面側）の本体構成部材１０３Ｂのみが示され、この本体構成部材１０３Ｂに支軸１０５に対するサンバイザ本体１０３の回動動作および長軸方向のスライド動作を可能とするスライド構造体１１１が組み付けられている。図３および図４はサンバイザ本体１０３のスライド状態を示しており、図３にはサンバイザ本体１０３が横軸部１０５ｂの付根側に近接する一方の端部位置（右端）に置かれた状態が示され、図４にはサンバイザ本体１０３が横軸部１０５ｂの付根側から離間する他方の端部位置（左端）へとスライドされた状態が示されている。
【００２０】
次にスライド構造体１１１を、図２〜図１１を参照しつつ説明する。図５にはスライド構造体１１１が示され、図６〜１０には図２における各断面指示線に基づく断面構造が示され、さらに図１１には図１０におけるＦ−Ｆ線に基づく断面構造が示される。スライド構造体１１１は、概括的には、左右の支持体１１２、当該左右の支持体１１２によって支持されるガイドレール１１３、および当該ガイドレール１１３に沿って相対的に摺動可能なケース１１５を主体として構成される。ガイドレール１１３は、本発明における「ガイド部材」に対応し、ケース１１５は、本発明における「可動体」に対応する。
【００２１】
左右の支持体１１２は、本体構成部材１０３Ａ，１０３Ｂの上縁部に左右方向に所定の間隔を置いて適宜止着手段で固定される。ガイドレール１１３は、断面矩形でかつ長尺状に形成されるとともに、サンバイザ本体１０３の上縁部に沿って延在される。そして、延在方向の一端（左端）が左側の支持体１１２に設けた角孔１１２ａに圧入されて止着され（図８参照）、他端（右端）が右側の支持体１１２に設けた角孔１１２ａに圧入されて止着される（図１０参照）。すわわち、左右の支持体１１２およびガイドレール１１３は、サンバイザ本体１０３と一体化されている。
【００２２】
ケース１１５は、サンバイザ本体１０３の中空部内に配置される。ケース１５５は、左右の各端部、すなわち横軸部１０５ｂの長軸方向（サンバイザ本体１０３のスライド方向）の各端部の上部側には円形の貫通孔１１６ａが形成された軸受部１１６を有し、下部側には矩形の角孔１１７ａが形成された脚部１１７を有する。なお貫通孔１１６ａと角孔１１７ａは、互いに平行に形成されている。
【００２３】
軸受部１１６の貫通孔１１６ａには、支軸１０５の横軸部１０５ｂが挿通されており、ケース１１５は当該横軸部１０５ｂに対し長軸方向への移動不能にかつ長軸回りに回動可能に装着される。脚部１１７の角孔１１７ａにはガイドレール１１３がスライド可能に挿通される。これにより、サンバイザ本体１０３は、ガイドレール１１３と共に横軸部１０５ｂの長軸方向に摺動動作が可能とされ、横軸部１０５ｂの付根側に近接する一方（右側）の端部位置（図３参照）と、付根側から離間する他方（左側）の端部位置（図４参照）との間で摺動動作による位置変更が可能とされる。一方の端部位置は、本発明における「所定の摺動位置」に対応する。そしてサンバイザ本体１０３は、一方の端部位置に置かれた状態で、格納位置と使用領域間での回動動作が行なわれる構成とされる。なお、以下の説明では、一方の端部位置を初期位置といい、横軸部１０５ｂから引き出される他方の端部位置を延伸位置という。
【００２４】
脚部１１７の角孔１１７ａの前後および下の内壁面には、図６に示すように、ガイドレール１１３の摺動方向に延在する複数の突部１１７ｂが設けられている。これらの突部１１７ｂはガイドレール１１３の外側面に面当たりで接触するように設定されている。これによりサンバイザ本体１０３が格納位置と使用領域間で回動される際、ガイドレール１１３とケース１１５間の周方向の力の伝達が面によって行われることになり、合理的な力の伝達が実現される。
【００２５】
横軸部１０５ｂは、右側の支持体１１２およびケース１１５の軸受部１１６を貫通して左方へと延在されている。横軸部１０５ｂの延出端部、すなわち先端は、サンバイザ本体１０３が延伸位置に置かれた状態では、図４に示すように、左側の支持体１１２の受孔１１２ｃから抜け出るが、サンバイザ本体１０３が初期位置に置かれたときには、図３に示すように、左側の支持体１１２の受孔１１２ｃに嵌入される構成とされる。このため、初期位置において、サンバイザ本体１０３が格納位置と使用領域との間で位置変更すべく横軸部１０５ｂの長軸回りに回動されるとき、横軸部１０５ｂに対し左右の支持体１１２を介して支持されることになり、これにより安定した回動動作を得ることができる。
【００２６】
ケース１１５の脚部を貫通して延在するガイドレール１１３は、その全長にわたって延在方向（横軸部１０５ｂの長軸方向）と交差する方向の断面形状が凹状に形成されている。すなわち、ガイドレール１１３は、延在方向の全長にわたって上方が開口された凹状空間１１３ａを有する構成とされる。凹状空間１１３ａは、本発明における「収納部」に対応する。ケース１１５の下部側（脚部１１７側）には、ガイドレール１１３のスライド動作に対して適度の摩擦抵抗（摺動抵抗）を与えるための摩擦機構１２５が設けられている。摩擦機構１２５は、本発明における「機能部品」に対応する。なお、ケース１１５の、左右の脚部１１７間の中間領域については、図７，９および図１１に示すように、摩擦機構１２５を装着するべく、下面側が開口されたスカート部１１５ａが設けられている。すなわち、スカート部１１５ａの開口を利用して、摩擦機構１２５をケース１１５とガイドレール１１３に組付けることを可能としている。
【００２７】
摩擦機構１２５は、図７および図１１に示すように、摩擦パッド１２１および当該摩擦パッド１２１を付勢する付勢部材としてのコイルバネ１２３を主体として構成される。摩擦パッド１２１は、上方のみが開口する筒状に形成されるとともに、ガイドレール１１３の凹状空間１１３ａに収納されている。そして、下向きに作用するコイルバネ１２３による付勢力によって当該凹状空間１１３ａの底面に面当たりで押し付けられ、これによりガイドレール１１３の摺動動作に所定の摩擦抵抗を付与する構成とされる。また、ケース１１５には、図１１に示すように、下方に向かって垂下する左右の保持片１１５ｂが設けられ、この保持片１１５ｂは、摩擦パッド１２１の左右の外側面に当接し、これによりガイドレール１１３がケース１１５に対して摺動する際の摩擦パッド１２１の移動を規制している。
【００２８】
また、ケース１１５には、図９および図１１に示すように、サンバイザ本体１０３が格納位置と使用領域間で回動される際、当該回動動作に対し所定の回動抵抗を与えるためのクリップ１１９が装着されている。ケース１１５の上部は、左右の軸受部１１６間がクリップ装着用として開口され、当該開口の下方にクリップ保持孔１１５ｃが設けられている。クリップ１１９は、上下方向に長い略長円形状に曲げられた板バネからなり、その上部側が、横軸部１０５ｂを径方向外側から挟むように付勢力を作用する挟持部１１９ａとされ、当該挟持部１１９ａによってケース１１５と横軸部１０５ｂ間の相対的な回動動作に対し所定の摩擦抵抗を与えるように構成される。
クリップ１１９の脚部（下部側）１１９ｂは、開口の上方から当該開口を通してクリップ保持孔１１５ｃに弾発状に挿入されるとともに、図９に示すように、外側端部（板バネの一端）がクリップ保持孔１１５ｃの段差に対し挿入方向と反対方向から係止することによって抜け止めされる。そして、クリップ保持孔１１５ｃに挿入されたクリップ１１９の脚部１１９ｂは、当該クリップ保持孔１１５ｃを貫通するとともに、下方のガイドレール１１３の凹状空間１１３ａに収容されている。
【００２９】
横軸部１０５ｂには、図９に示すように、クリップ１１９の挟持部１１９ａと接触する領域には、周方向の一部に平坦状の切欠部１０５ｃが形成されている。切欠部１０５ｃは、サンバイザ本体１０３が使用領域から格納位置へと回動操作されて所定の中間位置に達したときに、クリップ１１９の挟持力がケース１１５（サンバイザ本体１０３）に対して格納位置に向って強制的に回動させるトルクとして付与されるように設定されている。
【００３０】
ところで、上記のように、相対的に摺動動作を行うケース１１５とガイドレール１１３間には、構造的に必ず隙間が存在する。そして、隙間が存在することでサンバイザ本体１０３（本体構成部材１０３Ａ，１０３Ｂ）と、当該サンバイザ本体１０３内に配置されるケース１１５が摺動方向と交差する方向でがたついて（相対的な傾きが生じて）ガタツキ音を生ずる可能性がある。
【００３１】
そこで、本実施の形態においては、サンバイザ本体１０３が初期位置と延伸位置との間の中間領域については、本体構成部材１０３Ａ，１０３Ｂの内壁面１０３ａとケース１１５の外側面との間の隙間を、ガイドレール１１３の外側面と、ケース１１５の脚部１１７の角孔１１７ａ内面に設定された突部１１７ｂとの間の隙間よりも大きく設定した。これにより、本体構成部材１０３Ａ，１０３Ｂの内壁面とケース１１５の外側面間のガタツキ音（干渉音）を解消することが可能となる。
【００３２】
また、サンバイザ本体１０３の摺動端部である、初期位置と延伸位置については、ケース１１５の左右側面（移動方向端面）にそれぞれ突起１２７を設け、当該突起１２７が左右の支持体１１２に設けた凹部１１２ｂに係合することでガタツキを抑える構成としている。すなわち、サンバイザ本体１０３が横軸部１０５ｂの付根に接近する初期位置へと摺動された際には、左側の突起１２７が左側の支持体１１２の凹部１１２ｂに係合（図８参照）し、またサンバイザ本体１０３が延伸位置へと摺動された際には、左側の突起１２７が左側の支持体１１２の凹部１１２ｂに係合（図１１参照）する構成としている。そして、突起１２７と凹部１１２ｂとの係合は、微少な隙間での係合となるように設定され、これにより本体構成部材１０３Ａ，１０３Ｂの内壁面１０３ａとケース１１５の外側面間のガタツキを抑制する構成としている。
【００３３】
しかしながら、上記の突起１２７と凹部１１２ｂの係合によるガタツキ抑制構造によっても、突起１２７と凹部１１２ｂ間には微少であるとはいえ隙間が存在する。このため、ガタツキを完全に解消することが難しい。このガタツキは、特にサンバイザ本体１０３が初期位置に置かれた状態で、格納位置と使用領域間で回動操作する際に生じ易い。そのため、本実施の形態においては、上記の突起１２７と凹部１１２ｂによる係合構造を補助する態様で、サンバイザ本体１０３が初期位置に置かれたときに、サンバイザ本体１０３の内壁面１０３ａとケース１１５の外側面との間の隙間を無くする手段を備えた。
【００３４】
隙間をなくする手段の１つの態様として、本実施の形態では、図６に示すように、サンバイザ本体１０３における後面側（使用領域に置かれた状態で乗員と対面する室内面側、図６において左側）の本体構成部材１０３Ａの内壁面１０３ａに、当該内壁面１０３ａの法線方向に突出される肉盛１３１を設けている。そして、サンバイザ本体１０３が初期位置に置かれたときに、当該肉盛１３１が、ケース１１５の脚部１１７の外側面に重なり、当該外側面を押圧する構成としている。肉盛１３１がケース１１５の外側面を押圧することで、当該ケース１１５がガイドレール１１３に押し付けられる。ガイドレール１１３は、サンバイザ本体１０３に固定されているため、結果としてサンバイザ本体１０３とケース１１５間、およびケース１１５とガイドレール１１３間のガタツキが抑えられ、これにより、サンバイザ本体１０３を格納位置と使用領域間で回動させた際の、サンバイザ本体１０３の内壁面１０３ａとケース１１５の側面とのぶつかり音（干渉音）の発生を回避できる。
【００３５】
本実施の形態においては、ガイドレール１１３に断面凹状の凹状空間１１３ａを設け、当該凹状空間１１３ａに、サンバイザ本体１０３のスライド動作に対して所定の摩擦抵抗を付与する摩擦機構１２５を収納する構成としている。これにより、摩擦機構１２５の配置スペースがガイドレール１１３の配置スペース内に包含されることとなり、その結果としてスライド構造体１１１の、特に上下方向に関する幅寸法を小さくすることが可能となる。また、サンバイザ本体１０３が格納位置と使用領域間で回動する際の当該回動動作に所定の摩擦抵抗を与えるクリップ１１９につき、その脚部１１９ｂをガイドレール１１３の凹状空間１１３ａに収納する構成としている。このため、横軸部１０５ｂとガイドレール１１３との上下方向の配置間隔を狭めることが可能となる。このようなことから、スライド構造体１１１の、特に上下方向に関する小型化が可能となる。
【００３６】
スライド構造体１１１の上下方向寸法の小型化は、サンバイザ本体１０３の平面領域中における当該スライド構造体１１１の占有スペースを減少することにつながる。このため、図１に示すように、サンバイザ本体１０３の平面領域に、例えば化粧ミラー１１０を配置する構成においては、当該化粧ミラー１１０の配置に関する設計上の自由度を広げることが可能となる。また、ガイドレール１１３は、断面凹状に形成することで、使用材料の削減化、軽量化を実現した上で、曲げあるいは捻り等に対して中実棒の場合と概ね同等の剛性を得ることができる。
【００３７】
なお、本実施の形態では、ガイドレール１１３の凹状空間１１３ａを上向きに開口する構成としたが、これを横向きに形成しても構わない。また、肉盛１３１は、他方の端部位置である延伸位置に設けてもよい。また、肉盛１３１はケース１１５の脚部１１７の外側面に設け、サンバイザ本体１０３が初期位置あるいは延伸位置に置かれたときに、本体構成部材１０３Ａ，１０３Ｂの内壁面を押圧する構成に変更してもよい。
【００３８】
また、本実施の形態では、脚部１１７の角孔１１７ａの内壁面に複数の突部１１７ｂを設け、これらの突部１１７ｂがガイドレール１１３の外側面に面当たりで当接することによってガイドレール１１３とケース１１５間の周方向の力の伝達が行われるように構成したが、この構成に変え、突部１１７ｂをガイドレール１１３の外側面に設け、角孔１１７ａの内壁面に面当たりで当接するようにしてもよく、または突部１１７ｂを省略し、角孔１１７ａの内壁面がガイドレール１１３の外側面に面当たりで当接するようにしてもよい。また、面当たりによる構成に変えて線当たりによる構成を採用しても構わない。その場合、線当たりによる構成としては、角孔１１７ａの内壁面またはガイドレール１１３の外側面のいずれか一方に断面円弧状（略半円形状）の突部１１７ｂを設け、当該突部１１７ｂの先端が角孔１１７ａの内壁面またはガイドレール１１３の外側面のいずれか他方に線当たりで当接する構成、あるいは突部１１７ｂを設けることなく、角孔１１７ａの内壁面がガイドレール１１３のエッジ（角部）に線当たりで当接する構成を採用することができる。
【００３９】
なお、本発明の趣旨に鑑み、以下の態様を構成することができる。
（態様１）
「請求項１〜７のいずれか１つに記載の車両用サンバイザであって、
前記可動体は、前記ガイド部材の摺動方向の両端部に当該ガイド部材が摺動可能にそれぞれ脚部を有し、前記脚部間には前記ガイド部材の収納部に前記機能部品を組み付けるための開口を有することを特徴とする車両用サンバイザ。」
態様１に記載の発明によれば、開口を利用して機能部品をガイド部材の収納部に組み付けることができるため、組付け性が向上する。
【００４０】
（態様２）
「請求項７に記載の車両用サンバイザであって、
前記可動体は、前記摩擦部材を保持する保持片を有し、前記保持片は、前記ガイド部材の収納部に突入した状態で前記摩擦部材と係合することによって、当該摩擦部材が前記ガイド部材の摺動動作と共に移動することを規制する構成としたことを特徴とする車両用サンバイザ。」
態様２に記載の発明によれば、ガイド部材が摺動する際、保持片によって摩擦部材を可動体側に保持することができる。
【図面の簡単な説明】
【００４１】
【図１】本発明の実施の形態に係る車両用サンバイザの全体構成を示す正面図である。
【図２】一方の本体構成部材が省略され、他方の本体構成部材にスライド構造体が組み付けられた状態の正面図である。
【図３】一方の本体構成部材が省略され、他方の本体構成部材にスライド構造体が組み付けられた状態の斜視図であり、サンバイザ本体が横軸部の付根に近接する初期位置に置かれた状態を示す。
【図４】一方の本体構成部材が省略され、他方の本体構成部材にスライド構造体が組み付けられた状態の斜視図であり、サンバイザ本体が横軸部の付根から離間した延伸位置に置かれた状態を示す。
【図５】スライド構造体を示す分解斜視図である。
【図６】図２のＡ−Ａ線に基づく断面図である。
【図７】図２のＢ−Ｂ線に基づく断面図である。
【図８】図２のＣ−Ｃ線に基づく断面図である。
【図９】図２のＤ−Ｄ線に基づく断面図である。
【図１０】図２のＥ−Ｅ線に基づく断面図である。
【図１１】図１０のＦ−Ｆ線に基づく断面図である。
【符号の説明】
【００４２】
１０１  車両用サンバイザ
１０３  サンバイザ本体
１０３Ａ  本体構成部材
１０３Ｂ  本体構成部材
１０３ａ  内壁面
１０５  支軸
１０５ａ  縦軸部
１０５ｂ  横軸部
１０５ｃ  切欠部
１０７  取付ブラケット
１０９  サポート軸
１１０  化粧ミラー
１１１  スライド構造体
１１２  支持体
１１２ａ  角孔
１１２ｂ  凹部
１１２ｃ  受孔
１１３  ガイドレール（ガイド部材）
１１３ａ  凹状空間（収納部）
１１５  ケース（可動体）
１１５ａ  スカート部
１１５ｂ  保持片
１１５ｃ  クリップ保持孔
１１６  軸受部
１１６ａ  貫通孔
１１７  脚部
１１７ａ  角孔
１１７ｂ  突部
１１９  クリップ（機能部品）
１１９ａ  挟持部
１１９ｂ  脚部
１２１  摩擦パッド
１２３  コイルバネ
１２５  摩擦機構（機能部品）
１２７  突起
１３１  肉盛（隙間を無くする手段）
【図１】
2008284973.tif 000003
【図２】
2008284973.tif 000004
【図３】
2008284973.tif 000005
【図４】
2008284973.tif 000006
【図５】
2008284973.tif 000007
【図６】
2008284973.tif 000008
【図７】
2008284973.tif 000009
【図８】
2008284973.tif 000010
【図９】
2008284973.tif 000011
【図１０】
2008284973.tif 000012
【図１１】
2008284973.tif 000013